(57)【要約】【課題】  原稿の内容に応じたタイミングでファックス送信を実行することができるファクシミリ装置およびファクシミリプログラムを提供する。【解決手段】  ＭＦＰは、スキャナーによって原稿から読み取られた画像をファックス通信部にファックス送信させるファックス送信ジョブを生成し（Ｓ１２２）、スキャナーによって原稿から読み取られた画像に対してＯＣＲ処理を行って文字を取得し（Ｓ１２３）、Ｓ１２３において取得した文字に基づいてファックス送信ジョブの優先度を設定し（Ｓ１２４）、ファックス送信ジョブの実行のタイミングを、Ｓ１２４において設定した優先度に応じて設定する（Ｓ１２７、Ｓ１２９、Ｓ１３０およびＳ１３２）ことを特徴とする。【選択図】  図７
2019102965.tif 000002
【特許請求の範囲】
【請求項１】
原稿から画像を読み取る読取デバイスと、
ファックス通信を行うファックスデバイスと、
前記読取デバイスによって原稿から読み取られた画像を前記ファックスデバイスにファックス送信させるファックス送信ジョブを生成するファックス送信ジョブ生成手段と、
前記読取デバイスによって原稿から読み取られた画像に対してＯＣＲ処理を行って文字を取得する文字取得手段と、
前記文字取得手段によって取得された文字に基づいて前記ファックス送信ジョブの優先度を設定する優先度設定手段と
を備え、
前記ファックス送信ジョブ生成手段は、前記ファックス送信ジョブの実行のタイミングを、前記優先度設定手段によって設定された優先度に応じて設定することを特徴とするファクシミリ装置。
【請求項２】
前記ファックス送信ジョブ生成手段は、前記優先度設定手段によって設定された優先度が特定の優先度より低い前記ファックス送信ジョブとしての低優先度ジョブが前記ファックス送信ジョブの実行のキューに含まれる場合に、前記優先度設定手段によって設定された優先度が前記特定の優先度である前記ファックス送信ジョブを生成するとき、このファックス送信ジョブの実行のタイミングを、前記低優先度ジョブより前のタイミングに設定することを特徴とする請求項１に記載のファクシミリ装置。
【請求項３】
前記ファックス送信ジョブ生成手段は、前記優先度設定手段によって設定された優先度が特定の優先度である前記ファックス送信ジョブを生成する場合に、このファックス送信ジョブの実行のタイミングを特定の時刻に設定することを特徴とする請求項１に記載のファクシミリ装置。
【請求項４】
前記優先度設定手段は、期限を示すキーワードと、前記期限を示すキーワードに対して特定の範囲内の位置に配置された日付を示す文字とが前記読取デバイスによって原稿から読み取られた画像に含まれている場合に、前記日付と、本日との時間上の関係に応じた優先度を設定することを特徴とする請求項１から請求項３までのいずれかに記載のファクシミリ装置。
【請求項５】
原稿から画像を読み取る読取デバイスと、
ファックス通信を行うファックスデバイスと
を備えるファクシミリ装置によって実行されるファクシミリプログラムであって、
前記読取デバイスによって原稿から読み取られた画像を前記ファックスデバイスにファックス送信させるファックス送信ジョブを生成するファックス送信ジョブ生成手段と、
前記読取デバイスによって原稿から読み取られた画像に対してＯＣＲ処理を行って文字を取得する文字取得手段と、
前記文字取得手段によって取得された文字に基づいて前記ファックス送信ジョブの優先度を設定する優先度設定手段と
を前記ファクシミリ装置に実現させ、
前記ファックス送信ジョブ生成手段は、前記ファックス送信ジョブの実行のタイミングを、前記優先度設定手段によって設定された優先度に応じて設定することを特徴とするファクシミリプログラム。
【発明の詳細な説明】
【技術分野】
【０００１】
本発明は、原稿から読み取った画像をファックス送信するファクシミリ装置およびファクシミリプログラムに関する。
【背景技術】
【０００２】
従来のファクシミリ装置として、外部の情報処理端末から送信されてきた送信開始要求に含まれる優先度に応じたタイミングでファックス送信を実行するものが知られている（例えば、特許文献１参照。）。
【０００３】
また、従来のファクシミリ装置として、全ての原稿を読取デバイスによって読み取って記憶デバイスに記憶した後でファックス送信するメモリー送信、原稿を読取デバイスによって読み取りながらファックス送信するダイレクト送信など、ファックス送信のジョブの種類に応じて優先度を判定し、判定した優先度に応じたタイミングでファックス送信のジョブを実行するものが知られている（例えば、特許文献２参照。）。
【先行技術文献】
【特許文献】
【０００４】
【特許文献１】特開平１０−０９８６０５号公報
【特許文献２】特開２０１３−０１２８７３号公報
【発明の概要】
【発明が解決しようとする課題】
【０００５】
しかしながら、特許文献１、２に記載されたファクシミリ装置においては、原稿の内容に応じたタイミングでファックス送信を実行することができないという問題がある。
【０００６】
そこで、本発明は、原稿の内容に応じたタイミングでファックス送信を実行することができるファクシミリ装置およびファクシミリプログラムを提供することを目的とする。
【課題を解決するための手段】
【０００７】
本発明のファクシミリ装置は、原稿から画像を読み取る読取デバイスと、ファックス通信を行うファックスデバイスと、前記読取デバイスによって原稿から読み取られた画像を前記ファックスデバイスにファックス送信させるファックス送信ジョブを生成するファックス送信ジョブ生成手段と、前記読取デバイスによって原稿から読み取られた画像に対してＯＣＲ処理を行って文字を取得する文字取得手段と、前記文字取得手段によって取得された文字に基づいて前記ファックス送信ジョブの優先度を設定する優先度設定手段とを備え、前記ファックス送信ジョブ生成手段は、前記ファックス送信ジョブの実行のタイミングを、前記優先度設定手段によって設定された優先度に応じて設定することを特徴とする。
【０００８】
この構成により、本発明のファクシミリ装置は、ファックス送信ジョブのために読取デバイスによって原稿から読み取った画像に対してＯＣＲ処理を行って取得した文字に基づいてファックス送信ジョブの優先度を設定して、設定した優先度に応じたタイミングでファックス送信ジョブを実行するので、原稿の内容に応じたタイミングでファックス送信を実行することができる。
【０００９】
本発明のファクシミリ装置において、前記ファックス送信ジョブ生成手段は、前記優先度設定手段によって設定された優先度が特定の優先度より低い前記ファックス送信ジョブとしての低優先度ジョブが前記ファックス送信ジョブの実行のキューに含まれる場合に、前記優先度設定手段によって設定された優先度が前記特定の優先度である前記ファックス送信ジョブを生成するとき、このファックス送信ジョブの実行のタイミングを、前記低優先度ジョブより前のタイミングに設定しても良い。
【００１０】
この構成により、本発明のファクシミリ装置は、特定の優先度より低い優先度のファックス送信ジョブがファックス送信ジョブの実行のキューに含まれる場合に、特定の優先度のファックス送信ジョブを生成するとき、特定の優先度のファックス送信ジョブを、キューに含まれる、特定の優先度より低い優先度のファックス送信ジョブより前に実行するので、特定の優先度のファックス送信ジョブを早期に実行することができる。
【００１１】
本発明のファクシミリ装置において、前記ファックス送信ジョブ生成手段は、前記優先度設定手段によって設定された優先度が特定の優先度である前記ファックス送信ジョブを生成する場合に、このファックス送信ジョブの実行のタイミングを特定の時刻に設定しても良い。
【００１２】
この構成により、本発明のファクシミリ装置は、特定の優先度のファックス送信ジョブを特定の時刻に実行するので、ファックス送信ジョブが実行されても負担が少ない時刻が特定の時刻として設定されることによって、特定の優先度のファックス送信ジョブの実行による負担を抑えることができる。
【００１３】
本発明のファクシミリ装置において、前記優先度設定手段は、期限を示すキーワードと、前記期限を示すキーワードに対して特定の範囲内の位置に配置された日付を示す文字とが前記読取デバイスによって原稿から読み取られた画像に含まれている場合に、前記日付と、本日との時間上の関係に応じた優先度を設定しても良い。
【００１４】
この構成により、本発明のファクシミリ装置は、原稿に含まれる期限の日付と、本日との時間上の関係に応じた優先度でファックス送信ジョブを実行するので、原稿に含まれる期限の日付に基づいた緊急度に応じたタイミングでファックス送信ジョブを実行することができる。
【００１５】
本発明のファクシミリプログラムは、原稿から画像を読み取る読取デバイスと、ファックス通信を行うファックスデバイスとを備えるファクシミリ装置によって実行されるファクシミリプログラムであって、前記読取デバイスによって原稿から読み取られた画像を前記ファックスデバイスにファックス送信させるファックス送信ジョブを生成するファックス送信ジョブ生成手段と、前記読取デバイスによって原稿から読み取られた画像に対してＯＣＲ処理を行って文字を取得する文字取得手段と、前記文字取得手段によって取得された文字に基づいて前記ファックス送信ジョブの優先度を設定する優先度設定手段とを前記ファクシミリ装置に実現させ、前記ファックス送信ジョブ生成手段は、前記ファックス送信ジョブの実行のタイミングを、前記優先度設定手段によって設定された優先度に応じて設定することを特徴とする。
【００１６】
この構成により、本発明のファクシミリプログラムを実行するファクシミリ装置は、ファックス送信ジョブのために読取デバイスによって原稿から読み取った画像に対してＯＣＲ処理を行って取得した文字に基づいてファックス送信ジョブの優先度を設定して、設定した優先度に応じたタイミングでファックス送信ジョブを実行するので、原稿の内容に応じたタイミングでファックス送信を実行することができる。
【発明の効果】
【００１７】
本発明のファクシミリ装置およびファクシミリプログラムは、原稿の内容に応じたタイミングでファックス送信を実行することができる。
【図面の簡単な説明】
【００１８】
【図１】本発明の一実施の形態に係るＭＦＰのブロック図である。
【図２】図１に示す優先度高判定用キーワードリストの一例を示す図である。
【図３】図１に示す期限キーワードリストの一例を示す図である。
【図４】図１に示す期限優先度基準の一例を示す図である。
【図５】図１に示す優先度低判定用キーワードリストの一例を示す図である。
【図６】優先度高判定用キーワードリストを更新する場合の図１に示すＭＦＰの動作のフローチャートである。
【図７】ファックス送信ジョブのためにスキャナーによって原稿から画像が読み取られる場合の図１に示すＭＦＰの動作のフローチャートである。
【図８】図７に示す優先度設定処理のフローチャートである。
【図９】（ａ）優先度「高」のファックス送信ジョブを含み、優先度「中」および「低」のファックス送信ジョブを含まない状態での、図１に示すＭＦＰのファックスキューの一例を示す図である。  （ｂ）図９（ａ）に示す状態のファックスキューに優先度「高」のファックス送信ジョブが追加された状態でのファックスキューの一例を示す図である。
【図１０】（ａ）優先度「高」、「中」および「低」のファックス送信ジョブを含む状態での、図１に示すＭＦＰのファックスキューの一例を示す図である。  （ｂ）図１０（ａ）に示す状態のファックスキューに優先度「高」のファックス送信ジョブが追加された状態でのファックスキューの一例を示す図である。
【図１１】（ａ）優先度「高」および「低」のファックス送信ジョブを含み、優先度「中」のファックス送信ジョブを含まない状態での、図１に示すＭＦＰのファックスキューの一例を示す図である。  （ｂ）図１１（ａ）に示す状態のファックスキューに優先度「高」のファックス送信ジョブを追加した状態でのファックスキューの一例を示す図である。
【図１２】（ａ）優先度「高」および「中」のファックス送信ジョブを含み、優先度「低」のファックス送信ジョブを含まない状態での、図１に示すＭＦＰのファックスキューの一例を示す図である。  （ｂ）図１２（ａ）に示す状態のファックスキューに優先度「中」のファックス送信ジョブが追加された状態でのファックスキューの一例を示す図である。
【図１３】（ａ）優先度「高」、「中」および「低」のファックス送信ジョブを含む状態での、図１に示すＭＦＰのファックスキューの一例を示す図である。  （ｂ）は、図１３（ａ）に示す状態のファックスキューに優先度「中」のファックス送信ジョブを追加した状態でのファックスキューの一例を示す図である。
【図１４】ファックスキューに追加されることが予約されたファックス送信ジョブが存在する場合の図１に示すＭＦＰの動作のフローチャートである。
【図１５】（ａ）優先度「高」、「中」および「低」のファックス送信ジョブを含む状態での、図１に示すＭＦＰのファックスキューの一例を示す図である。  （ｂ）図１５（ａ）に示す状態のファックスキューに優先度「低」のファックス送信ジョブが追加された状態でのファックスキューの一例を示す図である。
【発明を実施するための形態】
【００１９】
以下、本発明の実施の形態について、図面を用いて説明する。
【００２０】
まず、本発明の一実施の形態に係るファクシミリ装置としてのＭＦＰ（Ｍｕｌｔｉｆｕｎｃｔｉｏｎ  Ｐｅｒｉｐｈｅｒａｌ）の構成について説明する。
【００２１】
図１は、本実施の形態に係るＭＦＰ１０のブロック図である。
【００２２】
図１に示すように、ＭＦＰ１０は、種々の操作が入力される例えばボタンなどの入力デバイスである操作部１１と、種々の情報を表示する例えばＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２３】
記憶部１７は、ファクシミリプログラム１７ａを記憶している。ファクシミリプログラム１７ａは、例えば、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ１０に追加でインストールされても良いし、ネットワーク上からＭＦＰ１０に追加でインストールされても良い。
【００２４】
記憶部１７は、通常の優先度としての優先度「中」より高い優先度としての優先度「高」として判定されるためのキーワード（以下「優先度高判定用キーワード」という。）の一覧を示す優先度高判定用キーワードリスト１７ｂを記憶している。
【００２５】
図２は、優先度高判定用キーワードリスト１７ｂの一例を示す図である。
【００２６】
図２に示す優先度高判定用キーワードリスト１７ｂには、例えば、「至急」、「緊急」など、ファックス送信を急ぐ必要性が高いことを示すキーワードと、「請求書」、「見積書」など、業務上の優先度が高いと考えられるキーワードとが優先度高判定用キーワードとして含まれている。
【００２７】
図１に示すように、記憶部１７は、期限を示すキーワード（以下「期限キーワード」という。）の一覧を示す期限キーワードリスト１７ｃを記憶している。
【００２８】
図３は、期限キーワードリスト１７ｃの一例を示す図である。
【００２９】
図３に示す期限キーワードリスト１７ｃには、例えば、「回答期限」、「有効期限」など、期限キーワードが含まれている。
【００３０】
図１に示すように、記憶部１７は、期限キーワードによって示される期限を示す日付を特定するための基準を示す期限日特定基準１７ｄを記憶している。期限日特定基準１７ｄは、スキャナー１４によって原稿から読み取られた画像における期限キーワードに対する位置の範囲を示す基準である。
【００３１】
記憶部１７は、期限を示す日付と、本日との時間上の関係に応じた優先度の基準を示す期限優先度基準１７ｅを記憶している。
【００３２】
図４は、期限優先度基準１７ｅの一例を示す図である。
【００３３】
図４に示す期限優先度基準１７ｅは、例えば、優先度「高」の判定基準として、期限を示す日付が本日の３日後以前の日を示すという基準を含んでいる。また、図４に示す期限優先度基準１７ｅは、例えば、優先度「低」の判定基準として、期限を示す日付が本日の１週間後以降の日を示すという基準を含んでいる。
【００３４】
図１に示すように、記憶部１７は、優先度「中」より低い優先度としての優先度「低」として判定されるためのキーワード（以下「優先度低判定用キーワード」という。）の一覧を示す優先度低判定用キーワードリスト１７ｆを記憶している。
【００３５】
図５は、優先度低判定用キーワードリスト１７ｆの一例を示す図である。
【００３６】
図５に示す優先度低判定用キーワードリスト１７ｆには、例えば、「のご案内」、「案内状」、「通知」、「お知らせ」、「親展」など、業務上の優先度が低いと考えられるキーワードが優先度低判定用キーワードとして含まれている。
【００３７】
図１に示すように、記憶部１７は、優先度「低」のファックス送信ジョブの実行の時刻を示す優先度低ジョブ実行時刻１７ｇを記憶している。
【００３８】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、記憶部１７またはＲＯＭに記憶されているプログラムを実行する。
【００３９】
制御部１８は、ファクシミリプログラム１７ａを実行することによって、スキャナー１４によって原稿から読み取られた画像をファックス通信部１５にファックス送信させるファックス送信ジョブを生成するファックス送信ジョブ生成手段１８ａと、スキャナー１４によって原稿から読み取られた画像に対してＯＣＲ（Ｏｐｔｉｃａｌ  Ｃｈａｒａｃｔｅｒ  Ｒｅｃｏｇｎｉｔｉｏｎ）処理を行って文字を取得する文字取得手段１８ｂと、文字取得手段１８ｂによって取得された文字に基づいてファックス送信ジョブの優先度を設定する優先度設定手段１８ｃとを実現する。
【００４０】
次に、ＭＦＰ１０の動作について説明する。
【００４１】
まず、優先度高判定用キーワードリスト１７ｂを更新する場合のＭＦＰ１０の動作について説明する。
【００４２】
図６は、優先度高判定用キーワードリスト１７ｂを更新する場合のＭＦＰ１０の動作のフローチャートである。
【００４３】
優先度設定手段１８ｃは、優先度高判定用キーワードリスト１７ｂの更新の動作の開始が操作部１１を介して指示されると、図６に示す動作を開始する。
【００４４】
図６に示すように、優先度設定手段１８ｃは、優先度高判定用キーワードリスト１７ｂを表示部１２に表示する（Ｓ１０１）。
【００４５】
次いで、優先度設定手段１８ｃは、表示部１２に表示された優先度高判定用キーワードリストに対する変更が操作部１１を介して指示されたか否かを判断する（Ｓ１０２）。
【００４６】
優先度設定手段１８ｃは、表示部１２に表示された優先度高判定用キーワードリストに対する変更が操作部１１を介して指示されたとＳ１０２において判断すると、指示された変更の内容を、表示部１２に表示された優先度高判定用キーワードリストに反映する（Ｓ１０３）。
【００４７】
優先度設定手段１８ｃは、表示部１２に表示された優先度高判定用キーワードリストに対する変更が操作部１１を介して指示されていないとＳ１０２において判断するか、Ｓ１０３の処理が終了すると、優先度高判定用キーワードリスト１７ｂの更新の動作の終了が操作部１１を介して指示されたか否かを判断する（Ｓ１０４）。
【００４８】
優先度設定手段１８ｃは、優先度高判定用キーワードリスト１７ｂの更新の動作の終了が操作部１１を介して指示されていないとＳ１０４において判断すると、Ｓ１０２の処理を実行する。
【００４９】
優先度設定手段１８ｃは、優先度高判定用キーワードリスト１７ｂの更新の動作の終了が操作部１１を介して指示されたとＳ１０４において判断すると、表示部１２に表示された優先度高判定用キーワードリストで記憶部１７上の優先度高判定用キーワードリスト１７ｂを更新して（Ｓ１０５）、図６に示す動作を終了する。
【００５０】
以上においては、優先度高判定用キーワードリスト１７ｂを更新する場合のＭＦＰ１０の動作について説明したが、期限キーワードリスト１７ｃ、期限日特定基準１７ｄ、期限優先度基準１７ｅ、優先度低判定用キーワードリスト１７ｆおよび優先度低ジョブ実行時刻１７ｇのそれぞれを更新する場合のＭＦＰ１０の動作についても同様である。
【００５１】
次に、ファックス送信ジョブのためにスキャナー１４によって原稿から画像が読み取られる場合のＭＦＰ１０の動作について説明する。
【００５２】
図７は、ファックス送信ジョブのためにスキャナー１４によって原稿から画像が読み取られる場合のＭＦＰ１０の動作のフローチャートである。
【００５３】
制御部１８は、ファックス送信ジョブのためにスキャナー１４によって原稿から画像が読み取られる指示が操作部１１を介して入力されると、図７に示す動作を実行する。
【００５４】
図７に示すように、ファックス送信ジョブ生成手段１８ａは、スキャナー１４によって原稿から画像を読み取って（Ｓ１２１）、Ｓ１２１において読み取った画像をファックス通信部１５にファックス送信させるファックス送信ジョブを、実行のタイミングが未定の状態で生成する（Ｓ１２２）。
【００５５】
次いで、文字取得手段１８ｂは、Ｓ１２１において読み取られた画像に対してＯＣＲ処理を行って文字を取得する（Ｓ１２３）。
【００５６】
次いで、優先度設定手段１８ｃは、Ｓ１２２において生成されたファックス送信ジョブの優先度を設定する優先度設定処理を実行する（Ｓ１２４）。
【００５７】
図８は、図７に示す優先度設定処理のフローチャートである。
【００５８】
図８に示すように、優先度設定手段１８ｃは、優先度高判定用キーワードリスト１７ｂに含まれる優先度高判定用キーワードがＳ１２３において取得された文字に含まれるか否かを判断する（Ｓ１４１）。
【００５９】
優先度設定手段１８ｃは、優先度高判定用キーワードリスト１７ｂに含まれる優先度高判定用キーワードがＳ１２３において取得された文字に含まれないとＳ１４１において判断すると、期限キーワードリスト１７ｃに含まれる期限キーワードがＳ１２３において取得された文字に含まれるか否かを判断する（Ｓ１４２）。
【００６０】
優先度設定手段１８ｃは、期限キーワードリスト１７ｃに含まれる期限キーワードがＳ１２３において取得された文字に含まれるとＳ１４２において判断すると、優先度「低」として判定するためのフラグ（以下「優先度低判定用フラグ」という。）を倒す（Ｓ１４３）。
【００６１】
次いで、優先度設定手段１８ｃは、Ｓ１２３において取得された文字に含まれる期限キーワードのうち、未だ対象にしていない１つの期限キーワードのみを対象にする（Ｓ１４４）。
【００６２】
次いで、優先度設定手段１８ｃは、現在の対象の期限キーワードによって示される期限を示す日付、すなわち、Ｓ１２１において読み取られた画像において現在の対象の期限キーワードに対して期限日特定基準１７ｄによって示される範囲内の位置に配置された文字によって示される日付が、Ｓ１２３において取得された文字に含まれるか否かを判断する（Ｓ１４５）。
【００６３】
優先度設定手段１８ｃは、現在の対象の期限キーワードによって示される期限を示す日付がＳ１２３において取得された文字に含まれるとＳ１４５において判断すると、現在の対象の期限キーワードによって示される期限を示す日付と、本日との時間上の関係が期限優先度基準１７ｅにおいて示される、優先度「高」の判定基準を満たすか否かを判断する（Ｓ１４６）。
【００６４】
優先度設定手段１８ｃは、優先度「高」の判定基準を満たさないとＳ１４６において判断すると、現在の対象の期限キーワードによって示される期限を示す日付と、本日との時間上の関係が期限優先度基準１７ｅにおいて示される、優先度「低」の判定基準を満たすか否かを判断する（Ｓ１４７）。
【００６５】
優先度設定手段１８ｃは、優先度「低」の判定基準を満たすとＳ１４７において判断すると、優先度低判定用フラグを立てる（Ｓ１４８）。
【００６６】
優先度設定手段１８ｃは、現在の対象の期限キーワードによって示される期限を示す日付がＳ１２３において取得された文字に含まれないとＳ１４５において判断するか、優先度「低」の判定基準を満たさないとＳ１４７において判断するか、Ｓ１４８の処理が終了すると、Ｓ１２３において取得された文字に含まれる期限キーワードのうち、未だ対象にしていない期限キーワードが存在するか否かを判断する（Ｓ１４９）。
【００６７】
優先度設定手段１８ｃは、未だ対象にしていない期限キーワードが存在するとＳ１４９において判断すると、Ｓ１４４の処理を実行する。
【００６８】
優先度設定手段１８ｃは、未だ対象にしていない期限キーワードが存在しないとＳ１４９において判断すると、優先度低判定用フラグが立っているか否かを判断する（Ｓ１５０）。
【００６９】
優先度設定手段１８ｃは、期限キーワードリスト１７ｃに含まれる期限キーワードがＳ１２３において取得された文字に含まれていないとＳ１４２において判断するか、優先度低判定用フラグが立っていないとＳ１５０において判断すると、優先度低判定用キーワードリスト１７ｆに含まれる優先度低判定用キーワードがＳ１２３において取得された文字に含まれるか否かを判断する（Ｓ１５１）。
【００７０】
優先度設定手段１８ｃは、優先度高判定用キーワードリスト１７ｂに含まれる優先度高判定用キーワードがＳ１２３において取得された文字に含まれるとＳ１４１において判断するか、優先度「高」の判定基準を満たすとＳ１４６において判断すると、Ｓ１２２において生成されたファックス送信ジョブの優先度を優先度「高」として設定して（Ｓ１５２）、図８に示す優先度設定処理を終了する。
【００７１】
優先度設定手段１８ｃは、優先度低判定用キーワードリスト１７ｆに含まれる優先度低判定用キーワードがＳ１２３において取得された文字に含まれないとＳ１５１において判断すると、Ｓ１２２において生成されたファックス送信ジョブの優先度を優先度「中」として設定して（Ｓ１５３）、図８に示す優先度設定処理を終了する。
【００７２】
優先度設定手段１８ｃは、優先度低判定用フラグが立っているとＳ１５０において判断するか、優先度低判定用キーワードリスト１７ｆに含まれる優先度低判定用キーワードがＳ１２３において取得された文字に含まれるとＳ１５１において判断すると、Ｓ１２２において生成されたファックス送信ジョブの優先度を優先度「低」として設定して（Ｓ１５４）、図８に示す優先度設定処理を終了する。
【００７３】
図７に示すように、ファックス送信ジョブ生成手段１８ａは、Ｓ１２４の優先度設定処理が終了すると、Ｓ１２４の優先度設定処理によって設定された優先度を判断する（Ｓ１２５）。
【００７４】
ファックス送信ジョブ生成手段１８ａは、Ｓ１２４の優先度設定処理によって設定された優先度が優先度「高」であるとＳ１２５において判断すると、優先度「中」および「低」のいずれかのファックス送信ジョブがファックス送信ジョブの実行のキュー（以下「ファックスキュー」という。）に含まれるか否かを判断する（Ｓ１２６）。
【００７５】
ファックス送信ジョブ生成手段１８ａは、優先度「中」および「低」のいずれのファックス送信ジョブもファックスキューに含まれないとＳ１２６において判断すると、Ｓ１２２において生成したファックス送信ジョブ（以下「対象ジョブ」という。）が、ファックスキューに含まれる全てのファックス送信ジョブの最後に実行されるように、対象ジョブをファックスキューに追加して（Ｓ１２７）、図７に示す動作を終了する。
【００７６】
図９（ａ）は、優先度「高」のファックス送信ジョブを含み、優先度「中」および「低」のファックス送信ジョブを含まない状態でのファックスキュー２０の一例を示す図である。図９（ｂ）は、図９（ａ）に示す状態のファックスキュー２０に優先度「高」のファックス送信ジョブが追加された状態でのファックスキュー２０の一例を示す図である。
【００７７】
制御部１８は、実行中のファックス送信ジョブが無い場合、図９に示すファックスキュー２０において図中左端に存在するファックス送信ジョブの実行を開始し、実行を開始したファックス送信ジョブをファックスキュー２０から削除する。図９に示すファックスキュー２０について説明したが、図１０以降に示すファックスキュー２０についても同様である。
【００７８】
図９（ａ）に示すファックスキュー２０には、優先度「中」および「低」のいずれのファックス送信ジョブも含まれないが、１つ以上の優先度「高」のファックス送信ジョブ２１ａが含まれている。ファックス送信ジョブ生成手段１８ａは、対象ジョブが優先度「高」のファックス送信ジョブである場合に、Ｓ１２７の処理の直前のファックスキュー２０が図９（ａ）に示すものであるとき、Ｓ１２７の処理を実行することによって、図９（ｂ）に示すように、ファックスキュー２０に含まれる全てのファックス送信ジョブの最後に対象ジョブ２１ｂが実行されるように、対象ジョブ２１ｂをファックスキュー２０に追加する。なお、図９（ａ）に示すファックスキュー２０には、優先度「高」のファックス送信ジョブ２１ａが１つも含まれなくても良い。
【００７９】
図７に示すように、ファックス送信ジョブ生成手段１８ａは、優先度「中」および「低」のいずれかのファックス送信ジョブがファックスキューに含まれるとＳ１２６において判断すると、優先度「中」のファックス送信ジョブがファックスキューに含まれるか否かを判断する（Ｓ１２８）。
【００８０】
ファックス送信ジョブ生成手段１８ａは、優先度「中」のファックス送信ジョブがファックスキューに含まれるとＳ１２８において判断すると、ファックスキューに含まれる優先度「中」のファックス送信ジョブのうち最も先に実行されるものの直前に対象ジョブが実行されるように、対象ジョブをファックスキューに追加して（Ｓ１２９）、図７に示す動作を終了する。
【００８１】
図１０（ａ）は、優先度「高」、「中」および「低」のファックス送信ジョブを含む状態でのファックスキュー２０の一例を示す図である。図１０（ｂ）は、図１０（ａ）に示す状態のファックスキュー２０に優先度「高」のファックス送信ジョブが追加された状態でのファックスキュー２０の一例を示す図である。
【００８２】
図１０（ａ）に示すファックスキュー２０には、１つ以上の優先度「高」のファックス送信ジョブ２１ａと、１つ以上の優先度「中」のファックス送信ジョブ２２ａと、１つ以上の優先度「低」のファックス送信ジョブ２３ａとが含まれている。ファックス送信ジョブ生成手段１８ａは、対象ジョブが優先度「高」のファックス送信ジョブである場合に、Ｓ１２９の処理の直前のファックスキュー２０が図１０（ａ）に示すものであるとき、Ｓ１２９の処理を実行することによって、図１０（ｂ）に示すように、ファックスキュー２０に含まれる優先度「中」のファックス送信ジョブ２２ａのうち最も先に実行されるものの直前に対象ジョブ２１ｂが実行されるように、対象ジョブ２１ｂをファックスキュー２０に追加する。なお、図１０（ａ）に示すファックスキュー２０には、優先度「高」のファックス送信ジョブ２１ａと、優先度「低」のファックス送信ジョブ２３ａとの少なくとも１つが１つも含まれなくても良い。
【００８３】
図７に示すように、ファックス送信ジョブ生成手段１８ａは、優先度「中」のファックス送信ジョブがファックスキューに含まれないとＳ１２８において判断すると、ファックスキューに含まれる優先度「低」のファックス送信ジョブのうち最も先に実行されるものの直前に対象ジョブが実行されるように、対象ジョブをファックスキューに追加して（Ｓ１３０）、図７に示す動作を終了する。
【００８４】
図１１（ａ）は、優先度「高」および「低」のファックス送信ジョブを含み、優先度「中」のファックス送信ジョブを含まない状態でのファックスキュー２０の一例を示す図である。図１１（ｂ）は、図１１（ａ）に示す状態のファックスキュー２０に優先度「高」のファックス送信ジョブを追加した状態でのファックスキュー２０の一例を示す図である。
【００８５】
図１１（ａ）に示すファックスキュー２０には、優先度「中」のファックス送信ジョブが含まれないが、１つ以上の優先度「高」のファックス送信ジョブ２１ａと、１つ以上の優先度「低」のファックス送信ジョブ２３ａとが含まれている。ファックス送信ジョブ生成手段１８ａは、対象ジョブが優先度「高」のファックス送信ジョブである場合に、Ｓ１３０の処理の直前のファックスキュー２０が図１１（ａ）に示すものであるとき、Ｓ１３０の処理を実行することによって、図１１（ｂ）に示すように、ファックスキュー２０に含まれる優先度「低」のファックス送信ジョブ２３ａのうち最も先に実行されるものの直前に対象ジョブ２１ｂが実行されるように、対象ジョブ２１ｂをファックスキュー２０に追加する。なお、図１１（ａ）に示すファックスキュー２０には、優先度「高」のファックス送信ジョブ２１ａが１つも含まれなくても良い。
【００８６】
図７に示すように、ファックス送信ジョブ生成手段１８ａは、Ｓ１２４の優先度設定処理によって設定された優先度が優先度「中」であるとＳ１２５において判断すると、優先度「低」のファックス送信ジョブがファックスキューに含まれるか否かを判断する（Ｓ１３１）。
【００８７】
ファックス送信ジョブ生成手段１８ａは、優先度「低」のファックス送信ジョブがファックスキューに含まれないとＳ１３１において判断すると、Ｓ１２７の処理を実行する。
【００８８】
図１２（ａ）は、優先度「高」および「中」のファックス送信ジョブを含み、優先度「低」のファックス送信ジョブを含まない状態でのファックスキュー２０の一例を示す図である。図１２（ｂ）は、図１２（ａ）に示す状態のファックスキュー２０に優先度「中」のファックス送信ジョブが追加された状態でのファックスキュー２０の一例を示す図である。
【００８９】
図１２（ａ）に示すファックスキュー２０には、優先度「低」のファックス送信ジョブを含まれないが、１つ以上の優先度「高」のファックス送信ジョブ２１ａと、１つ以上の優先度「中」のファックス送信ジョブ２２ａとが含まれている。ファックス送信ジョブ生成手段１８ａは、対象ジョブが優先度「中」のファックス送信ジョブである場合に、Ｓ１２７の処理の直前のファックスキュー２０が図１２（ａ）に示すものであるとき、Ｓ１２７の処理を実行することによって、図１２（ｂ）に示すように、ファックスキュー２０に含まれる全てのファックス送信ジョブの最後に対象ジョブ２２ｂが実行されるように、対象ジョブ２２ｂをファックスキュー２０に追加する。なお、図１２（ａ）に示すファックスキュー２０には、優先度「高」のファックス送信ジョブ２１ａと、優先度「中」のファックス送信ジョブ２２ａとの少なくとも１つが１つも含まれなくても良い。
【００９０】
図７に示すように、ファックス送信ジョブ生成手段１８ａは、優先度「低」のファックス送信ジョブがファックスキューに含まれるとＳ１３１において判断すると、Ｓ１３０の処理を実行する。
【００９１】
図１３（ａ）は、優先度「高」、「中」および「低」のファックス送信ジョブを含む状態でのファックスキュー２０の一例を示す図である。図１３（ｂ）は、図１３（ａ）に示す状態のファックスキュー２０に優先度「中」のファックス送信ジョブを追加した状態でのファックスキュー２０の一例を示す図である。
【００９２】
図１３（ａ）に示すファックスキュー２０には、１つ以上の優先度「高」のファックス送信ジョブ２１ａと、１つ以上の優先度「中」のファックス送信ジョブ２２ａと、１つ以上の優先度「低」のファックス送信ジョブ２３ａとが含まれている。ファックス送信ジョブ生成手段１８ａは、対象ジョブが優先度「中」のファックス送信ジョブである場合に、Ｓ１３０の処理の直前のファックスキュー２０が図１３（ａ）に示すものであるとき、Ｓ１３０の処理を実行することによって、図１３（ｂ）に示すように、ファックスキュー２０に含まれる優先度「低」のファックス送信ジョブ２３ａのうち最も先に実行されるものの直前に対象ジョブ２２ｂが実行されるように、対象ジョブ２２ｂをファックスキュー２０に追加する。なお、図１３（ａ）に示すファックスキュー２０には、優先度「高」のファックス送信ジョブ２１ａと、優先度「中」のファックス送信ジョブ２２ａとの少なくとも１つが１つも含まれなくても良い。
【００９３】
図７に示すように、ファックス送信ジョブ生成手段１８ａは、Ｓ１２４の優先度設定処理によって設定された優先度が優先度「低」であるとＳ１２５において判断すると、対象ジョブを優先度低ジョブ実行時刻１７ｇに示される時刻にファックスキューに追加することを予約して（Ｓ１３２）、図７に示す動作を終了する。
【００９４】
次に、ファックスキューに追加されることが予約されたファックス送信ジョブが存在する場合のＭＦＰ１０の動作について説明する。
【００９５】
図１４は、ファックスキューに追加されることが予約されたファックス送信ジョブが存在する場合のＭＦＰ１０の動作のフローチャートである。
【００９６】
制御部１８は、ファックスキューに追加されることが予約されたファックス送信ジョブ（以下「対象予約ジョブ」という。）が存在する場合、対象予約ジョブ毎に図１４に示す動作を実行する。
【００９７】
図１４に示すように、ファックス送信ジョブ生成手段１８ａは、対象予約ジョブをファックスキューに追加する時刻になったと判断するまで、対象予約ジョブをファックスキューに追加する時刻になったか否かを判断する（Ｓ１６１）。
【００９８】
ファックス送信ジョブ生成手段１８ａは、対象予約ジョブをファックスキューに追加する時刻になったとＳ１６１において判断すると、ファックスキューに含まれる全てのファックス送信ジョブの最後に対象予約ジョブが実行されるように、対象予約ジョブをファックスキューに追加して（Ｓ１６２）、図１４に示す動作を終了する。
【００９９】
図１５（ａ）は、優先度「高」、「中」および「低」のファックス送信ジョブを含む状態でのファックスキュー２０の一例を示す図である。図１５（ｂ）は、図１５（ａ）に示す状態のファックスキュー２０に優先度「低」のファックス送信ジョブが追加された状態でのファックスキュー２０の一例を示す図である。
【０１００】
図１５（ａ）に示すファックスキュー２０には、１つ以上の優先度「高」のファックス送信ジョブ２１ａと、１つ以上の優先度「中」のファックス送信ジョブ２２ａと、１つ以上の優先度「低」のファックス送信ジョブ２３ａとが含まれている。ファックス送信ジョブ生成手段１８ａは、Ｓ１６２の処理の直前のファックスキュー２０が図１５（ａ）に示すものである場合、Ｓ１６２の処理を実行することによって、図１５（ｂ）に示すように、ファックスキュー２０に含まれる全てのファックス送信ジョブの最後に対象予約ジョブ２３ｂが実行されるように、対象予約ジョブ２３ｂをファックスキュー２０に追加する。なお、図１５（ａ）に示すファックスキュー２０には、優先度「高」のファックス送信ジョブ２１ａと、優先度「中」のファックス送信ジョブ２２ａと、優先度「低」のファックス送信ジョブ２３ａとの少なくとも１つが１つも含まれなくても良い。
【０１０１】
以上に説明したように、ＭＦＰ１０は、ファックス送信ジョブのためにスキャナー１４によって原稿からＳ１２１において読み取った画像に対してＳ１２３においてＯＣＲ処理を行って取得した文字に基づいてファックス送信ジョブの優先度を設定して（Ｓ１２４）、設定した優先度に応じたタイミングでファックス送信ジョブを実行する（Ｓ１２７、Ｓ１２９、Ｓ１３０およびＳ１３２）ので、原稿の内容に応じたタイミングでファックス送信を実行することができる。
【０１０２】
ＭＦＰ１０は、優先度「高」より低い優先度のファックス送信ジョブがファックスキューに含まれる場合に（Ｓ１２６でＹＥＳ）、優先度「高」のファックス送信ジョブを生成するとき（Ｓ１２５で優先度「高」）、優先度「高」のファックス送信ジョブを、ファックスキューに含まれる、優先度「高」より低い優先度のファックス送信ジョブより前に実行する（Ｓ１２９またはＳ１３０）ので、優先度「高」のファックス送信ジョブを早期に実行することができる。
【０１０３】
ＭＦＰ１０は、優先度「中」より低い優先度のファックス送信ジョブがファックスキューに含まれる場合に（Ｓ１３１でＹＥＳ）、優先度「中」のファックス送信ジョブを生成するとき（Ｓ１２５で優先度「中」）、優先度「中」のファックス送信ジョブを、ファックスキューに含まれる、優先度「中」より低い優先度のファックス送信ジョブより前に実行する（Ｓ１３０）ので、優先度「中」のファックス送信ジョブを早期に実行することができる。
【０１０４】
ＭＦＰ１０は、優先度「低」のファックス送信ジョブを特定の時刻に実行する（Ｓ１３２）ので、ファックス送信ジョブが実行されても負担が少ない時刻が特定の時刻として設定されることによって、優先度「低」のファックス送信ジョブの実行による負担を抑えることができる。例えば、優先度「低」のファックス送信ジョブを実行する特定の時刻が例えば深夜など、通信料が安い時間帯に設定されている場合、ＭＦＰ１０は、優先度「低」のファックス送信ジョブを実行するための通信料を抑えることができる。
【０１０５】
ＭＦＰ１０は、原稿に含まれる期限の日付と、本日との時間上の関係に応じた優先度（Ｓ１４２〜Ｓ１５０、Ｓ１５２およびＳ１５４）でファックス送信ジョブを実行するので、原稿に含まれる期限の日付に基づいた緊急度に応じたタイミングでファックス送信ジョブを実行することができる。
【０１０６】
本発明のファクシミリ装置は、本実施の形態においてＭＦＰによって構成されているが、例えばファックス専用機など、ＭＦＰ以外の電子機器によって構成されても良い。
【符号の説明】
【０１０７】
１０  ＭＦＰ（ファクシミリ装置）
１４  スキャナー（読取デバイス）
１５  ファックス通信部（ファックスデバイス）
１７ａ  ファクシミリプログラム
１８ａ  ファックス送信ジョブ生成手段
１８ｂ  文字取得手段
１８ｃ  優先度設定手段
２０  ファックスキュー（ファックス送信ジョブの実行のキュー）
２１ａ  ファックス送信ジョブ
２１ｂ  対象ジョブ（ファックス送信ジョブ）
２２ａ  ファックス送信ジョブ
２２ｂ  対象ジョブ（ファックス送信ジョブ）
２３ａ  ファックス送信ジョブ
２３ｂ  対象予約ジョブ（ファックス送信ジョブ）
【図１】
2019102965.tif 000003
【図２】
2019102965.tif 000004
【図３】
2019102965.tif 000005
【図４】
2019102965.tif 000006
【図５】
2019102965.tif 000007
【図６】
2019102965.tif 000008
【図７】
2019102965.tif 000009
【図８】
2019102965.tif 000010
【図９】
2019102965.tif 000011
【図１０】
2019102965.tif 000012
【図１１】
2019102965.tif 000013
【図１２】
2019102965.tif 000014
【図１３】
2019102965.tif 000015
【図１４】
2019102965.tif 000016
【図１５】
2019102965.tif 000017